(57)【要約】本発明は、織物に複製すべき出力画像を色走査するステップと、前記画像を可視化のために使用される手段で最大可能な色数で映像可視化するステップとを含む、ジャカード織物に高分解能の画像を形成するための方法に関する。本発明の方法は、前記織物に前記画像を形成するために使用される複数の基本色を選択するステップであって、前記基本色の数が、織機で使用できかつ前記織物の製織に適用されるたて糸およびよこ糸の数に関係して成るステップと、前記出力画像の原画の色を、たて糸およびよこ糸の基本色を混合することによって形成できる減色数に低減するステップとを更に含むことを特徴とする。
2004509244.tif 000002
【特許請求の範囲】
【請求項１】
織物に複製される当初画像を色走査する工程と、
映像可視化に使用される手段に関連して可能となる最大可能な色数によって前記当初画像を映像可視化する工程とを含む、ジャカード織物に高解像度の画像を形成するための方法において、
前記当初画像を織物上で複製するために使用される複数の基本色であって、織機に使用することができかつ前記織物を製織するために使用されるたて糸およびよこ糸の数と相互関係にある前記複数の基本色を選択する工程と、
前記当初画像の当初の色を前記たて糸およびよこ糸の前記基本色の混合によって可能になる減色数に低減する工程と
より成ることを特徴とする方法。
【請求項２】
前記選択された基本色の混合が画素の混合であり、前記画素が少なくとも１本のたて糸と１本のよこ糸の交差によってその都度形成されることを特徴とする、請求項１に記載の方法。
【請求項３】
前記減色された当初画像の低減された色から選択された複数の基本色への変換をディザリング法で行うことを特徴とする、請求項１または２に記載の方法。
【請求項４】
前記減色された当初画像のニュアンスが前記選択された基本色の画素の数によって複製されることを特徴とする、請求項１乃至３のいずれかに記載の方法。
【請求項５】
前記低減された色の分解が予め定められたたて糸／よこ糸比を含めて行なわれ、製織プログラムが織りの反復繰返しのない不規則な織りの使用を可能としていることを特徴とする、請求項１乃至４のいずれかに記載の方法。
【請求項６】
２：１のたて糸／よこ糸比を特徴とする、請求項１乃至５のいずれかに記載の方法。
【請求項７】
前記低減された色が糸群を形成する少なくとも２つの基本色から形成されることを特徴とする、請求項１乃至６のいずれかに記載の方法。
【請求項８】
前記当初画像の当初の色が最大２５６色に低減されることを特徴とする、請求項１乃至７のいずれかに記載の方法。
【請求項９】
最大で１６の基本色を使用することを特徴とする、請求項１乃至８のいずれかに記載の方法。
【請求項１０】
赤、緑、青および黄の基本色を特徴とする、請求項９に記載の方法。
【請求項１１】
赤、緑、青、黄、黒および白の基本色を特徴とする、請求項１０に記載の方法。
【請求項１２】
前記製織プログラムがよこ糸群の一定の順序での挿入を可能としていることを特徴とする、請求項１乃至１１のいずれかに記載の方法。
【請求項１３】
前記製織プログラムが反復繰返しの規則的な織りの使用を可能としていることを特徴とする、請求項１乃至１２のいずれかに記載の方法。
【請求項１４】
ＣＡＤ装置を含むことを特徴とする、請求項１乃至１３のいずれかに記載の方法を実施するための装置。
【請求項１５】
織機を含むことを特徴とする、請求項１３に記載の装置。
【発明の詳細な説明】
【０００１】
【発明の属する技術分野】
本発明の主題は、請求項１の上位概念によるジャカード織物に高解像度の画像を形成するための方法およびこの方法を実施するためのプラントである。
【０００２】
【従来の技術】
欧州特許出願公開第０６９２５６２号は、模様を備えた、たて糸およびよこ糸から成る織物を光学的に図示する方法を記載している。この方法では、模様を原画から走査して取り込み、その模様をデータ処理システムによって記録し、画像表示装置に表示する。その後、ＣＡＤによって、織物を構成するたて糸およびよこ糸が割り当てられ、織物を構成する織りの共点ダイアグラムが画定される。これらは、リネン織り、しゅす織り、あや織りおよび篭織りなど、公知の規則的な織り方である。その後、糸の特定パラメータおよび繊維パラメータを考慮して、たて糸およびよこ糸の走行が決定される。たて糸およびよこ糸の動的挙動および走行に照らして、たて糸およびよこ糸の予め定められた走行が補正される。この補正されたたて糸またはよこ糸の走行が、出力装置、例えば画像表示装置またはプリンタによって図示される。補正後、様々な色が個々のたて糸およびよこ糸に割り当てられる。
【０００３】
色を出力装置で図示することのできる色の関数として選択することは、その目的のために製織経験のある当業熟練者が必要になり、不利と考えられる。出力装置は、地色（ＲＧＢ）を基礎にして加法混色により動作する画像表示装置またはプリンタである。しかし、織物のよこ糸によっては地色の織物にイラストの厳密な複製を達成することはできないことが知られている。出力装置によって示すことのできる色は混色も含むので、そのような混色の糸を準備しなければならない。
【０００４】
ドイツ国特許第４４３８５３５号は、彩色布のジャカード織りのための方法を開示している。この方法では、製織すべき画像の複製を印刷技術から公知のスクリーン印刷法によって分解する。この方法では、原画は走査によってコンピュータに転送され、画像表示装置に表示され、非常に多数の色合いが存在する。その後、色は図示可能なまたは所望の数の色に減少される。最終的に、この色数は、赤、黄および青の色彩ならびに黒および白をも有する網点に分解され、この網点は製織可能な点のサイズを有する。色分解の後、各網点を組織点に対応させて、コンピュータ技術によって製織プログラムをセットアップする。これらの組織点は古典的なジャカード法にしたがって結び止めされる。すなわち、反復繰返しによる規則的な織りが使用される。
【０００５】
この公知の方法には実質的な弱点がある。この方法を実施するには、製織の経験を持つ当業経験熟練者が絶対的に必要である。正確には、黄、赤および青の色彩の製織彩色画像複製の場合、混色は不完全であることが明らかになった。すなわち、それらは原画の全ての色合いを持たない。概して、製織画像複製を改善するためには補正が必要である。しかし、この種の補正は、製織の経験を持つ当業経験熟練者しか実施できない。複製における色の衰弱において、混色は印刷作業中に印刷色間の領域で起こるとされている。言い換えると、印刷色点は明瞭に区切られるのではなく、代わりに、隣接する色点の印刷色が縁領域で相互に部分的に流れ込む。公知の方法では、イラストは明瞭に区切られる組織点を形成する網点に分解される。ヒトの目の低解像度の結果、混色効果が発生する。
【０００６】
したがって、ジャカード織機の導入は様々に加工された模様を形成することを可能にしたが、より複雑な模様の形成時間は非常に長く、実施される作業は極めて複雑であることが知られている。ジャカード織りの分野におけるＣＡＤシステムの導入は、必要な作業をかなり簡素化し、かつ、同時に種々の効果を得る目的で様々な糸の撚り合せを計画しかつ形成する間に発生する誤りの可能性を低減した。それにもかかわらず、ＣＡＤシステムはまた、織物に複製すべき当初の画像にできるだけ似ている構造を最終織物に形成するために、画像について特別な追加作業を実施することを作業者に強いてもいる。
【０００７】
実際には、後に使用される製織システムとは全く切り離して、画像を作成するための作業およびそれらのそれぞれの処理が、次に記載するように行なわれる。
【０００８】
第一に、所望の当初画像の色走査が実施される（当初画像は制約なしに、所望するどんな種類のものでもよい）。走査はスキャナを使用して、または他の読取システムによって行なうことができる。
【０００９】
このようにして読み込まれた当初画像は、かなりの数の色によって映像で可視化される。前記色数は、使用されるハードウェアシステムの性能、したがってシステムの構成に密接に関係する。
【００１０】
専門的なシステムでは、何百万もの画像色を持つ画像を読み取り、映像によって可視化することができる。実際には、この種の可視化の可能性は非常に稀であるので、これは主として理論的性能である。通常、スキャナから生じる画像は、読取動作中に数百万色から成るスペクトルから自動的に選択された数千の画像色を持つ。しかし、スキャナによって読み込まれた各画像が特定の色パレット、好ましくは、画像自体の色を特別な方法で含む色パレットを含むことを確実にする必要がある。
【００１１】
この時点で、前記画像は、既存の画像色の数、すなわち当初画像の当初の色の数を低減するために第１操作にかけられる。減色プロセスは様々な方法によって、例えば、正確には、画像内の色の除去の仕方および／または他の色との置換の仕方に基づいて異なる特殊数学的アルゴリズムを使用することによって、実施することができる。
【００１２】
いずれの場合も、使用する低減の性質、したがって使用する数学的アルゴリズムの性質とは全く別に、多数の当初色を有する当初画像は例えば２５６色に低減される。これは、その後ジャカード織物用のＣＡＤによって処理される画像が多数の色を必要とせず、概して、特にジャカード織物の模様へのそれぞれの変換に基づいて、最終目的のため、かつ画像自体の処理のために２５６色で充分であると想定される事実のために行なわれるステップである。
【００１３】
このように処理された（色数が低減された）画像はその後、ジャカードＣＡＤシステムに転送され、そこで、画像自体をジャカード織物の模様に変換することを可能にする全ての操作が調整される。これに関する最初のステップの１つは、すでに低減された残りの色を更に低減することである。実際、画像における既存の色の数は、織物の種類および達成すべき効果に基づいて低減される。通常、織物の模様で、個々の各色は特定の種類の撚り合せ、したがって織物における特定の種類の最終的効果を示す。
【００１４】
この時点で、その後に続くステップは、利用可能な画像に対する追加加工に関連する。他方、そのときに利用可能な画像は、色の数に関し、したがって画像から得られる情報に関しても、低減の点から一連のかなりのステップを通過してきており、選択された色の数に達するや否や、得られた画像は、当初画像にできるだけ似るように、必然的に追加加工を受けなければならない。
【００１５】
画像の「追加加工」に要する時間は、模様の複雑さと密接な相互関係がある。これは明らかに、今日でさえ、高度に発達したシステムを使用するにもかかわらず、複雑な模様は完全かつ最終的な追加加工に長い時間を要することを意味する。したがって、現時点で、スキャナによって読み込まれた（したがって既存の色の数およびニュアンス等に関して情報が豊富な）画像を自動的に変換し、かつ同時に、追加加工を実施する必要なく、当初画像の正確な複製を達成することを可能にする、利用可能な数学的アルゴリズムはない。
【００１６】
実際には、読み込まれた当初画像に存在する色の数を低減する目的で実施される上記の様々なステップによっては、画像が当初に持っているニュアンス、色合いおよび様々な色の変化をそのままで維持することは不可能である。これは全て、画像処理時間として不利であるばかりでなく、最終織物の品質にも不利となる。この場合、「品質」とは、読み込み時点の当初画像とジャカード織物に複製された変換後の画像との間に存在する差を意味する。
【００１７】
言うまでもなく、ジャカード織物に複製される画像がせいぜい持つ色の数は、特に織機で使用することのできるよこ糸の最大色数によっても制限される。通常、少なくとも現時点で繊維織機で達成できるものは、最大１２色のよこ糸までを使用するものであり、したがって、複製できる色の数は必然的に限定される。
【００１８】
【発明が解決しようとする課題】
本発明の主な目的は、画像自体に追加加工を実施する必要なく、非常に高解像度の画像を維持することを可能にする、ジャカード織物に画像を形成するための方法を実現することである。
【００１９】
この目的の範囲内で、本発明の一つの目的は、画像の追加加工を不要にしながら、特定の操作、正確には当初画像の色の低減を実施し、当初画像のグラフィック分解能を本質的に変えないままにすることを可能にする、ジャカード織物に画像を形成するための方法を実現することである。
【００２０】
本発明の更なる目的は、織物に画像を複製する時間を極端に加速することを可能にする、ジャカード織物に画像を形成するための方法を実現することである。
【００２１】
本発明の更なる目的は、当初画像に存在する画像色のニュアンスおよび全体をできるだけ正確に複製することができる、ジャカード織物に画像を形成するための方法を実現することである。
【００２２】
更に本発明の重要な目的は、高信頼性、しかも簡易および低コストによって特徴付けられる、ジャカード織物に画像を形成するための方法を実現することである。
【００２３】
【課題を解決するための手段】
以下で更に明瞭に記載する上述の主題および全ての目的は、請求項１の特徴にしたがってジャカード織物に高解像度の画像を形成するための方法によって達成される。
【００２４】
本発明の更なる有利な改善は、特に従属請求項および実施の形態から推量することができる。
【００２５】
低減された画像色の分解（Ｚｅｒｌｅｇｕｎｇ）が予め定められたたて糸／よこ糸比を含めて行なわれる場合、かつ製織プログラムが、織りの反復繰返しなく、不規則な織りの使用に備えていることは、特に有利である。製織プログラムは、反復繰返しなく、不規則な織りの使用に備えている。
【００２６】
該システムによる電子画像処理の結果、高解像度のイラストまたは画像の複製が製織される。画像色の基本色への分解にたて糸／よこ糸比を含めることによって、この解像度はほとんど損失なく有利に行なわれ、したがって、主に織物において原画に忠実なイラストの複製が生じる。反復繰返しなく不規則な織りを使用することにより、印刷の場合と同様に、彩色イラストの図に混色された画像点が形成される。この場合、製織の経験を持つ当業熟練者による手動補正なく、コンピュータによって、原画にしたがって画像点を直接形成することができることが重要である。たて糸／よこ糸比を含む色分解の後、製織されるイラストから製織可能なデータフォーマットがＣＡＤシステムで作成され、織機に送り出される。
【００２７】
たて糸／よこ糸比が２：１である場合、有利である。この比により、１ｃｍ当たり２８本のよこ糸および５６本のたて糸で、製織中の条件を正確に守ることができる。
【００２８】
少なくとも２つの基本色の糸群の使用により、反復繰返しなく不規則な織りを形成することが可能になる。
【００２９】
製織される当初画像のイラストを最大限２５６色に低減することにより、画像の複製をわずか４基本色のよこ糸によって製織することができる。この結果、織機の簡素化が達成される。
【００３０】
黒と白の基本色のよこ糸を使用すると、一方では、高解像度の黒または白のイラストを製織することができ、他方では、赤、緑、青および黄の基本色による彩色画像複製のコントラストを完全に複製することができるという利点が得られる。
【００３１】
基本色の自由選択は無制限の組合せを可能にし、特に当初画像のイラストに対する製織画像複製の正確な適応を可能にする。
【００３２】
よこ糸群を均一な順序で挿入すると、作成される製織プログラムがより単純になるという利点が得られる。
【００３３】
製織プログラムが、不規則な織りを持つ領域と反復繰返しの規則的な織りの領域との組合せを備えている場合、織物の構成はそれによって実質的に広がるので、有利である。
【００３４】
【発明の実施の形態】
本発明の実施の形態を、添付の図面に関連して、以下で更に詳細に説明する。
【００３５】
本発明による方法は、形式および寸法に関して何ら制約なく、どんな種類でもよい所望の画像を色走査する初期段階を含む。
【００３６】
このようにして読み込まれた画像は、適切な数の色でビデオによって可視化される。前記色数は、使用するハードウェアシステムの性能、したがって後者の構成と密接な相互関係にある。
【００３７】
この時点で、必要な色数の選択の実施は特にビデオ画像から直接、あるいは可視カラーフィールド（ｓｉｃｈｔｂａｒｅｎ Ｆｅｌｄｓ ｖｏｎ Ｆａｒｂｅｎ）の全スペクトル内での色の選択、その結果提供される色合いおよび色の変化の無限の選択によって開始される。
【００３８】
実際には、作業者が、製織中に使用したいよこ糸およびたて糸の基本色の数、すなわち織機が使用できるたて糸およびよこ糸の数に対応する基本色の色を選択する。本発明による方法は、当初画像の当初の色を選択された基本色によって最大可能な色内に低減するようにしている。
【００３９】
本質的に、当初画像では一連の事実上無限の様々な色合いが発生する。これらの全ての色合いが、異なる色の１本またはそれ以上の糸の組合せによる当初色の再生によって得られ、したがって所望の色の可視化が可能となる。
【００４０】
作業者によって選択された基本色を持つ１本またはそれ以上の糸の組合せの結果は、スキャナによって作成される減色された当初画像の低減された色である。
【００４１】
減色画像の画素を選択された基本色に変換する方法は、「ディザリング（Ｄｉｔｈｅｒｉｎｇ）」法と呼ばれる。この方法は、画像の再加工を実施する必要なく、当初画像に存在する極めて多数の画像色を比較的少数の色によって再生することを可能にする。実際、この方法により、画像の細部は失われず、それは、対照的に、非常に正確なよこ糸の色数に画像色の減色が行なわれるが、不可避的に生じる欠色の再生が実施されることのない公知の技術では、失われる。
【００４２】
選択された基本色の相互作用は、画像に必要な他の色を全て可視化することを可能にするので、それは当初画像と一致する。画像のニュアンスは、最初に作業者によって選択された基本色を出発点として、純度の強弱を付けて選択された色の画素の量から引き出す。
【００４３】
色合いは、再生すべき色合いにしたがって純度の強弱を付けて選択された基本色の画素を混合することによって得られる。例えば、色数の低減によって、次の基本色
黒、白、赤、黄、緑および青
が選択されると、減色当初画像の一連の事実上無限の異なる色合い（赤、灰色、緑、黄の色合い）が達成される。これらの色合いは全て、所望の色の可視化を可能とする（減色を実施するために意図された色から選択される）異なる基本色の糸の組合せによって得られる（したがって、この特定の色合いを持つよこ糸またはたて糸が必ずしも織機に挿入されるわけではないので、色合いはシミュレートされる）。
【００４４】
例えば、淡黄色をシミュレートする場合、黄と白の糸が組み合わされ、こうして結果として視覚的に淡黄色が生じる。もちろん、達成しようとする淡黄色の色合いは多様であり、したがって、これらの色合いが全て得られるように、組み合わされる白と黄の基本色の量に関して処理を実施しなければならない。
【００４５】
色が常に相互に直角に配置される２種類の糸の撚り合せ（Ｖｅｒｆｌｅｃｈｔｕｎｇ）によって得られ、１種類はたて糸であり、もう１種類はよこ糸であるという事実に照らして、通常特定の色を有するよこ糸がたて糸と交差され、最終結果として織物の上面および下面に特定の色が得られる。
【００４６】
図１は、断面で示されたたて糸１およびたて糸と交差するよこ糸２を示す。したがって織物の最終的な色はよこ糸２のそれぞれの色から得られる。それは、この糸がたて糸の上に渡されるからである（したがって、よこ糸部分は黄色であり、織物の面は黄色になる）。図示した状況は、織物で純色を得ようとする標準的な状況である。
【００４７】
対照的に、黄色の特定のニュアンスを達成しようとする場合、所望のニュアンスを得るために、織物の上面に（したがって、たて糸１の上に）黄色のよこ糸２を、特に更なるよこ糸２’または複数のよこ糸と共に渡すことを試みなければならない。
【００４８】
図２は、黄色のよこ糸が、白のよこ糸２’と共に、たて糸１の上を走行する状況を示し、それによって明るいメディアムイエローが達成される。次いで様々なニュアンスから黄色と白の量を決定することができる。「量」とは、この場合、よこ糸２、２’によって覆われるたて糸１の数を意味する。例えば、図２で、黄色のよこ糸２は５本のたて糸１の上に残っているが、白のよこ糸２’は６本のたて糸の上に残っていることが分かる。これは、この場合、黄色が非常に明るいことを意味する（黄色より白が多い）。
【００４９】
使用する色の量（よこ糸またはたて糸を撚り合せて１本のたて糸を形成することもできる）に関して、かつ異なる色合いを形成するために使用できるよこ糸の数に関しては、制限がない。実際、異なる基本色の３本以上の糸の組合せによって生み出すことのできる色がある。
【００５０】
こうして「ディザリング」法は、各色を選択された基本色の様々な点に分割することを可能にする。したがって、色によっては、作業者によって最初に選択された全ての基本色を使用することが必要になることがあるかもしれない。これは、織物の最終的な色が、特定の色を持つよこ糸の直接の存在によってではなく、選択された基本色の（様々な量の）組合せによって達成されるためである。したがって、色はシミュレートされ、実際には存在しない。したがって、この種の状況では、画像は同時に初期情報を失うことなく織物の模様に変換されるので、画像の再加工は不要であることが明らかである。
【００５１】
更に、本発明による方法では、当初画像は、単なる図形ファイルではなく、すでにジャカード織物用の模様であったかのように取り扱われる。実際、各当初画像は方形の画素で構成されるが、同等の織物画像は、使用するパラメータに基づいて異なる寸法の直角から成る。方形の画素から成る画像を織物模様に変換する結果生じる状況は、画像が必然的に形状の変化を経験するというものであり、したがって最終的な織物模様はもはや完全な図形解像度を持たない。本発明による方法は、当初画素の寸法を変化させて、後者を織物模様に使用される製図用紙の矩形と一致させることを可能にする。
【００５２】
したがって、織物模様への遷移中に、かつ、画素から製図用紙への遷移により、形状のいかなる変化も経験せず、したがっていかなる再加工も必要としない。
【００５３】
実際に、本発明による方法は、画像自体に関する情報を同時に失うことなく、かつ長い処理時間を必然的に伴う再加工を画像自体に実施する必要なく、画像の色の数を低減することができ、本発明の目的を果たすことが確認された。
【００５４】
このように構想されたこの方法は、全て本発明の概念の範囲に入る多数の様々な変化を施すことができる。したがって、この方法は、例えば、当初画像の測微的細部さえも可能となるように、どんな種類のたて糸にでも使用することができる。更に、全ての細部を他の技術的に同等の要素と置換することができる。実際、それぞれの用途に矛盾しない限り、使用する材料および寸法も、要件および技術の現状にしたがって任意の所望の種類とすることができる。
【００５５】
様々な実施の形態について以下で更に詳しく説明する。
【００５６】
図３は、本発明の一例を示す。プログラミングシステムは、当初画像３の形の原画から始まり、走査４、減色５、色分解（Ｆａｒｂｚｅｒｌｅｇｕｎｇ）６および織機８で作動して所望の最終的画像を有する織物９を生産する製織プログラム７のプログラム段階を含む。
【００５７】
第１のステップで、例えば約１６０万色を有する画像を走査し、画像表示装置で図示する。スキャナおよび画像表示装置の解像容量によって、画像表示装置に表示される画像のイラストは通常、数千の色または色合いを有する。
【００５８】
第２のステップで、この画像の色は、図示できる量に、例えば２５６色に低減される。この減色で、様々な色が失われ、あるいは色スペクトル内の他の色に置換される。
【００５９】
第３のステップは多数のサブステップを含む。第一に、製織中に使用されるたて糸およびよこ糸に対し、予め定められた数の基本色が選択される。赤、緑、青、黄、黒および白の基本色を有するよこ糸を選択することが有利である。
【００６０】
その後、低減された２５６色が基本色に分解（ｚｅｒｌｅｇｔ）される。この分解（Ｚｅｒｌｅｇｕｎｇ）は自動的に行なわれ、織り柄を示す図を生成する（図４および５）。
【００６１】
電子画像処理中に、色は画素によって示される。画像色は色彩セルとして図示され、各色彩セルは代表色によって表わされる。画像の色のニュアンスは、色の画素の量と選択された異なる色の深みから得られる。減色時に、色は該当する彩色セルの代表色によって置換される。しかし、全ての画素が色彩セルの代表色に描かれるのではなく、代わりに、隣接する画像色の１つに転移する。
【００６２】
最後に、画像の色の分解が行なわれ、前記転移が実施される。この転移によって、一方で画像色が基本色の画像点に分割され、他方でそれらの色の深みに関して画像色の色合いが基本色の画像点に分割され、それらは、例えば明るい赤のための赤と白のように、色合いを出すために組み合わされる。画像点は、基本色を持つよこ糸が織物の可視面でよこ糸の上を交差することによってその都度形成される。この分解中に、２：１のたて糸／よこ糸比が含まれて、セットアップすべき製織プログラムの基礎を形成する、図５に示す矩形の色点によって製織すべきイラストが形成される。
【００６３】
第４のステップで、製織すべき画像複製のプログラミングがコンピュータで実施される。図７乃至１０を参照されたい。製織プログラムによって、よこ糸の挿入およびたて糸の運動（上昇行程および下降行程）が調整される。図７に示すように、赤、緑、青、黄、黒および白の基本色を有する６本のよこ糸が使用される。よこ糸は糸群としてこの順序でたて糸ラインに挿入され、彩色セルを形成する。よこ糸はたて糸によって結び止めされる。この目的のために、製織プログラムは、反復繰返しのない不規則な織りおよび反復繰返しの規則的な織りを可能としている。不規則な織りは分解中に形成された色点にしたがって、例えば糸群の赤いよこ糸Ｒが織物の可視面で赤色点として見え、残りのよこ糸が裏面で浮くように行なわれる。同じことが、緑のよこ糸Ｇが見える、緑色点の形成にも適用される。これを図８および９に示す。
【００６４】
上述の通り、色分解中に、色ニュアンスおよび異なる色の深みを持つ色点が得られる。この種の色点のために、製織プログラムは、例えば異なる基本色を有する少なくとも２本のよこ糸によって行なうことのできる混色を備えている。製織プログラムは、例えば浮きよこ糸による更なる可能性をもたらす。
【図面の簡単な説明】
【図１】断面で示したジャカード織物のたて糸に通したよこ糸の走行を示す模式図。
【図２】断面で示したジャカード織物のたて糸に通したよこ糸の走行を示す模式図。
【図３】ジャカード織物の生産のための本発明に係るプログラミングシステムの一例のブロック図。
【図４】製織すべき画像複製の原画として役立つ当初画像の複製を示す図。
【図５】イラストを選択基本色に色分解した後の図４の原画のＡ部を示す拡大詳細図。
【図６】図５のＢ部の拡大詳細図。
【図７】織物のよこ糸シーケンスの図。
【図８】不規則な織りを持つ織物の断面図。
【図９】図８の織物の平面図。
【図１０】規則的な織りのための組織点設計用紙。
【図３】
2004509244.tif 000003
【図６】
2004509244.tif 000004
【図７】
2004509244.tif 000005
【図８】
2004509244.tif 000006
【国際公開パンフレット】
2004509244.tif 000007
2004509244.tif 000008
2004509244.tif 000009
2004509244.tif 000010
2004509244.tif 000011
2004509244.tif 000012
2004509244.tif 000013
2004509244.tif 000014
2004509244.tif 000015
2004509244.tif 000016
2004509244.tif 000017
2004509244.tif 000018
2004509244.tif 000019
2004509244.tif 000020
2004509244.tif 000021
2004509244.tif 000022
2004509244.tif 000023
2004509244.tif 000024
2004509244.tif 000025
2004509244.tif 000026
2004509244.tif 000027
2004509244.tif 000028
2004509244.tif 000029
2004509244.tif 000030
2004509244.tif 000031
2004509244.tif 000032
2004509244.tif 000033
【国際公開パンフレット（コレクトバージョン）】
2004509244.tif 000034
2004509244.tif 000035
【国際調査報告】
2004509244.tif 000036
2004509244.tif 000037
2004509244.tif 000038
2004509244.tif 000039